(57)【要約】      （修正有）【課題】インタラクティブなマルチビューディスプレイシステムを提供する。【解決手段】インタラクティブマルチビューディスプレイシステムは、それぞれ異なる観察者５３，５４に異なる視聴領域で見ることができる、独立して選択された内容の複数の画像を表示するマルチビューディスプレイ１を備えている。さらに、検知装置を備え、これにより、複数のユーザ５３，５４のうちのどのユーザが表示された画像の１つと相互作用しようとしているのかを検知する。相互作用装置は、検知されたユーザが画像に相互作用することを許可する。【選択図】図１１
2011070680.tif 000002
【特許請求の範囲】
【請求項１】
それぞれ異なる視聴視域で見ることができる、独立して選択された内容の複数の画像を、上記ディスプレイから異なる高さ及び又は異なる距離にある各位置に対して表示する固定位置のマルチビューディスプレイと、
上記ディスプレイに最も近い視域における表示領域を拡大するミラーとを含むマルチビュー表示システム。
【請求項２】
上記ディスプレイに、（ａ）関連する内容のおよび／又は（ｂ）少なくとも１つの画像を見ることができる視域の位置で特定される、少なくとも１つの画像を提供する画像生成部を含む請求項１に記載のシステム。
【請求項３】
ユーザが操作可能な装置に隣接して配置されるマルチビュー表示システムであって、
それぞれ異なる視聴視域で見ることができる、独立して選択された内容の複数の画像を、上記ディスプレイから異なる高さ及び又は異なる距離にある各位置に対して表示する固定位置のマルチビューディスプレイと、
上記ユーザが操作可能な上記ディスプレイに隣接して表示することができるように、（ａ）関連する内容のおよび／又は（ｂ）少なくとも１つの画像を見ることができる視域の位置で特定される、少なくとも１つの画像を提供する画像生成部と、を備え、
上記ユーザが操作可能な装置に隣接する視域に、当該装置とユーザの相互作用を示す画像データを表示するマルチビュー表示システム。
【請求項４】
ユーザが操作可能な装置に隣接して配置されるマルチビュー表示システムであって、
それぞれ異なる視聴視域で見ることができる、独立して選択された内容の複数の画像を、上記ディスプレイから異なる高さ及び又は異なる距離にある各位置に対して表示する固定位置のマルチビューディスプレイと、
上記ユーザが操作可能な上記ディスプレイに隣接して表示することができるように、（ａ）関連する内容のおよび／又は（ｂ）少なくとも１つの画像を見ることができる視域の位置で特定される、少なくとも１つの画像を提供する画像生成部と、を備え、
所定の高さ以上に位置する視域に、制限領域へのエントリを許可する入力コードを示す画像データを表示するマルチビュー表示システム。
【請求項５】
上記ディスプレイが、非対称の複数のビューイングウインドウを形成する請求項１、３または４に記載のシステム。
【請求項６】
それぞれ異なる視聴視域で見ることができる、独立して選択された内容の複数の画像を表示するマルチビューディスプレイと、
同一の対象の異なるビューを表わす画像データを異なる画像として上記ディスプレイに提供する画像生成部と、を含むマルチビュー表示システム。
【請求項７】
上記異なるビューが、少なくとも１つのオーバーレイビューを含む、請求項６に記載のシステム。
【請求項８】
上記異なるビューが、電磁波スペクトルの異なるパーツから得られた画像を含む請求項６に記載のシステム。
【請求項９】
それぞれ異なる視聴視域で見ることができる、独立して選択された内容の複数の画像を表示するマルチビューディスプレイと、
少なくとも１つの視域で見ることができ、かつ少なくとも１つの視域で見ることができない、グラフィカルユーザインターフェースを含む複数の異なる画像を表わす画像データを上記ディスプレイに供給する画像生成部と、
上記グラフィカルユーザインターフェースと相互作用しているユーザを検知する検知装置と、
を含み、
上記画像生成部は、少なくとも１つの視域で見ることができる画像または画像シーケンスを表わす画像データ、またはユーザインターフェースを重ねることにより少なくとも１つの視域で見ることができる上記画像または画像シーケンスを表わす画像データを、上記ディスプレイに提供するインタラクティブマルチビュー表示システム。
【請求項１０】
検知されたユーザ相互作用に応答する装置の一部分を構成する請求項９に記載のインタラクティブマルチビュー表示システム。
【請求項１１】
それぞれ異なる視聴視域で見ることができる、独立して選択された内容の複数の画像を表示するマルチビューディスプレイと、
少なくとも１人のユーザが見ている上記ディスプレイ上の少なくとも１地点を特定するトラッキング部と、
上記少なくとも１人のユーザが見ることができる画像における、上記少なくとも１地点での画像表示をその周囲の表示に比べて強調する強調部と、を含むインタラクティブマルチビュー表示システム。
【発明の詳細な説明】
【技術分野】
【０００１】
本発明は、マルチビュー表示システムに関するものである。
【背景技術】
【０００２】
マルチビュー表示システムは、独立して選択可能な内容の複数の画像（画像シーケンスを含む）を異なる視域で表示する場合に用いることができる。マルチビュー表示システムの例としては、空間多重化された複数の画像を同時に表示する空間多重化形式、複数の時間フレームからなる周期的に繰り返すセットの異なる時間フレームにおいて、異なるビューを表示するテンポラル多重または時間連続形式のものが挙げられる。さらに、上記の技術を組み合わせ、例えば、空間多重化された複数の異なる画像を、複数の時間フレームからなる周期的に繰り返すセットの異なる時間フレームで表示する形式としてもよい。
【０００３】
上述したようなマルチビュー表示方式では、複数のビュー（可視像）をいくつでも表示することができ、そのビューの数に対応する数のあるいは異なる数の視域で各ビューを見ることができる。中でも最も一般的に用いられるのは、デュアルビューディスプレイとして知られている２つのビューを表示するものである。
【０００４】
マルチビュー表示方式で用いられる表示装置の例としては、液晶ディスプレイ（ＬＣＤ）ＣＲＴ（Cathode Ray Tube）、有機発光デバイス（ＯＬＥＤ）、ＬＥＤ（Light Emitting Diode）表示装置、ＦＥＤ（Field Emission Display）、ＰＤＰ（Plasma Display Panel）等の表示装置が挙げられる。
【先行技術文献】
【特許文献】
【０００５】
【特許文献１】英国特許出願公開第２４０５５４２号明細書（２００５年３月２日公開）
【特許文献２】英国特許出願公開第２４０５５１６号明細書（２００５年３月２日公開）
【特許文献３】英国特許出願公開第２４０５４８９号明細書（２００５年３月２日公開）
【特許文献４】国際公開第ＷＯ２００５／０２１３１４号パンフレット（２００５年３月１０日公開）
【特許文献５】米国特許１，１５０，３７４号
【特許文献６】日本特許公報８０４４３８８号
【特許文献７】英国特許出願公開第２４０５５４６号明細書（２００５年３月２日公開）
【特許文献８】英国特許出願公開第２４１４８８２号明細書（２００５年３月２日公開）
【非特許文献１】Willem den Boer et al. （ＳＩＤ  ０３  ＤＩＧＥＳＴ  ５６．３）
【非特許文献２】N.Tada et al., IDW'04, pp.349,2004,“Continuous grain silicon pin diode”
【非特許文献３】T.Nakamura et al., SID 05 Digest, pp 1054, 2005,“A low temperature polysilicon pin diode”
【非特許文献４】D.J.  Tulbert, SID 05 Digest, pp. 1222, 2005
【非特許文献５】A.C. Varchmin et al, “Lecture notes in computer science”, vol. 1371, pp.245, 1998
【非特許文献６】K. Kubala et al, SID 98 Digest, pp. 415,1998
【非特許文献７】インターネット＜URL：HTTP://www.nist.gov/speech/tests/spk＞
【非特許文献８】インターネット＜URL：HTTP://svr-www.eng.cam.ac.uk/comp/speech/Section6/Q6.6.html＞
【発明の概要】
【発明が解決しようとする課題】
【０００６】
特許文献１は、視差バリアをＬＣＤの画素に近接して配置することにより、高品質のデュアルビューディスプレイを実現する技術を開示している。
【０００７】
特許文献２は、ＬＣモードを用いることにより、１つの均一なパネルから２つの画像を表示する表示装置を開示している。この特許文献２は、視野バリアを用いることにより、上記表示装置からデュアルビューディスプレイを形成する構成を開示している。
【０００８】
特許文献３は、デュアルビューディスプレイにミラーを組合せることにより、デュアルビューディスプレイのスクリーンの見かけ上の大きさを大きくする構成を開示している。
【０００９】
また、非特許文献１は、集積光センサを画素毎に設けた表示装置を開示している。非特許文献１の表示装置は、ユーザの指の影を画像化することにより複数のユーザがタッチパネルを同時に操作できるように構成されている。しかしながら、この方法によると、ユーザの指の接触を検知するために複雑なデータ処理を要する上、ユーザによる指の各接触（タッチ）を特定できない場合もある。
【００１０】
特許文献４は、乗物または光音響情報ユニットにおける異なる情報の表示を制御する方法を開示している。特許文献４のシステムは、ドライバの凝視を検知し、ドライバがディスプレイを凝視していると検知すると、表示を更新し、旅程に関連する情報のみを表示するように構成されている。一方、ドライバがディスプレイを凝視していないときは、旅程に関連しない情報を表示するように構成している。ここで、乗客が映画を見ようとした場合、断続的な中断がありため、システムの持つ利点が損なわれてしまう。
【００１１】
特許文献５は、レンズアレイの背後に形成される空間インターレースされた固定／印刷画像を含む変更可能な画像を開示している。
【課題を解決するための手段】
【００１２】
本発明の第１の態様にかかるンタラクティブマルチビュー表示システムは、それぞれ異なる視聴視域で見ることができる、独立して選択された内容の複数の画像を表示するマルチビューディスプレイと、複数のユーザの中で、上記複数の画像のうち少なくとも１の画像と相互作用しようとしている各ユーザを、上記マルチビューディスプレイ上に形成された各ユーザの影（shadow cast）の長さ及び／または形成期間に基づいて検知する検知装置と、検知された上記各ユーザを、上記少なくとも１の画像と相互作用可能にする相互作用装置と、を含んでいる。
【００１３】
上記の構成において、上記検知装置が、同時に上記少なくとも１の画像と相互作用しようとしている複数のユーザを検知するように構成してもよい。また、上記相互作用装置が、上記複数のユーザが同時に各画像と相互作用可能に構成されていてもよい。
【００１４】
また、上記検知装置が、上記マルチビューディスプレイに設けられ、または当該マルチビューディスプレイの一部分を構成する光検知装置を含む構成としてもよい。
【００１５】
本発明の第２の態様にかかるインタラクティブマルチビュー表示システムは、それぞれ異なる視聴視域で見ることができる、独立して選択された内容の複数の画像を表示するマルチビューディスプレイと、複数のユーザの中で、上記複数の画像のうち少なくとも１の画像と相互作用しようとしている各ユーザを検知する検知装置であって、各検知されたユーザのアイデンティティを特定するための音声認識システムを備えた検知装置と、検知された上記各ユーザを、上記少なくとも１の画像と相互作用可能にする相互作用装置と、を含んでいる。
【００１６】
上記の構成において、上記相互作用装置が、上記マルチビューディスプレイの一部分を構成するタッチスクリーンと、上記複数の画像のうち少なくとも１の画像をユーザが操作可能な画像として形成する画像生成部とを含む構成としてもよい。また、上記画像生成部が、キーボードまたはキーパッドの画像を生成するように構成されていてもよい。
【００１７】
上記の構成において、少なくとも１人のユーザが選択可能な単一ビュー（シングルビュー）モードを有する構成としてもよい。
【００１８】
本発明の第３の態様にかかるマルチビュー表示システムは、それぞれ異なる視聴視域で見ることができる、独立して選択された内容の複数の画像を、上記ディスプレイから異なる高さ及び又は異なる距離にある各位置に対して表示する固定位置のマルチビューディスプレイと、上記ディスプレイに最も近い視域における表示領域を拡大するミラーとを含んでいる。
【００１９】
上記ディスプレイに、（ａ）関連する内容のおよび／又は（ｂ）少なくとも１つの画像を見ることができる視域の位置で特定される、少なくとも１つの画像を提供する画像生成部を含む請求項９に記載のシステム。
【００２０】
本発明の第４の態様にかかるマルチビュー表示システムは、ユーザが操作可能な装置に隣接して配置されるマルチビュー表示システムであって、それぞれ異なる視聴視域で見ることができる、独立して選択された内容の複数の画像を、上記ディスプレイから異なる高さ及び又は異なる距離にある各位置に対して表示する固定位置のマルチビューディスプレイと、上記ユーザが操作可能な上記ディスプレイに隣接して表示することができるように、（ａ）関連する内容のおよび／又は（ｂ）少なくとも１つの画像を見ることができる視域の位置で特定される、少なくとも１つの画像を提供する画像生成部と、を備え、上記ユーザが操作可能な装置に隣接する視域に、当該装置とユーザの相互作用装置を示す画像データを表示するように構成されている。
【００２１】
本発明の第５の態様にかかるマルチビュー表示システムは、ユーザが操作可能な装置に隣接して配置されるマルチビュー表示システムであって、それぞれ異なる視聴視域で見ることができる、独立して選択された内容の複数の画像を、上記ディスプレイから異なる高さ及び又は異なる距離にある各位置に対して表示する固定位置のマルチビューディスプレイと、上記ユーザが操作可能な上記ディスプレイに隣接して表示することができるように、（ａ）関連する内容のおよび／又は（ｂ）少なくとも１つの画像を見ることができる視域の位置で特定される、少なくとも１つの画像を提供する画像生成部と、を備え、所定の高さ以上に位置する視域に、制限領域へのエントリを許可する入力コードを示す画像データを表示している。
【００２２】
上記の構成において、上記ディスプレイが、非対称の複数のビューイングウインドウを形成する構成としてもよい。
【００２３】
本発明の第６の態様にかかるマルチビュー表示システムは、それぞれ異なる視聴視域で見ることができる、独立して選択された内容の複数の画像を表示するマルチビューディスプレイと、同一の対象の異なるビューを表わす画像データを異なる画像として上記ディスプレイに提供する画像生成部と、を含んでいる。
【００２４】
上記の構成において、上記異なるビューが、少なくとも１つのオーバーレイビューを含む構成としてもよい。
【００２５】
上記異なるビューが、電磁波スペクトルの異なるパーツから得られた画像を含む請求項１４に記載のシステム。
【００２６】
本発明の第７の態様にかかるインタラクティブマルチビュー表示システムは、それぞれ異なる視聴視域で見ることができる、独立して選択された内容の複数の画像を表示するマルチビューディスプレイと、少なくとも１つの視域で見ることができ、かつ少なくとも１つの視域で見ることができない、グラフィカルユーザインターフェースを含む複数の異なる画像を表わす画像データをディスプレイに供給する画像生成部と、上記グラフィカルユーザインターフェースと相互作用しているユーザを検知する検知装置と、を含み、上記画像生成部は、少なくとも１つの視域で見ることができる画像、または画像シーケンスを表わす画像データ、またはユーザインターフェースを重ねることにより少なくとも１つの視域で見ることができる上記画像または画像シーケンスを表わす画像データを、上記ディスプレイに提供するように構成されている。
【００２７】
上記の構成の表示システムは、検知されたユーザ相互作用装置に応答する装置の一部分を構成するように構成されていてもよい。
【００２８】
本発明の第８の態様にかかるインタラクティブマルチビュー表示システムは、それぞれ異なる視聴視域で見ることができる、独立して選択された内容の複数の画像を表示するマルチビューディスプレイと、少なくとも１人のユーザが見ている上記ディスプレイ上の少なくとも１地点を特定するトラッキング部と、上記少なくとも１人のユーザが見ることができる画像における、上記少なくとも１地点での画像表示をその周囲の表示に比べて強調する強調部と、を含んでいる。
【図面の簡単な説明】
【００２９】
【図１（ａ）】翻訳に使用するデュアルビューディスプレイを示す平面図である。
【図１（ｂ）】図１（ａ）に示すディスプレイの側面図である。
【図２（ａ）】翻訳に使用する他のデュアルビューディスプレイを示す平面図である。
【図２（ｂ）】図２（ａ）に示すディスプレイの他の配列方向を示す側面図である。
【図３】高速道路情報の提供に用いるマルチビューディスプレイを示す平面図である。
【図４】到着情報と出発情報の提供に用いるデュアルビューディスプレイを示す平面図である。
【図５】異なる広告情報をそれぞれ異なる方向に表示するディスプレイを示す平面図である。
【図６】プレゼンテーションに用いるデュアルビューディスプレイを示す図である。
【図７】緊急時のサービステキストを表示するマルチビューディスプレイを示す図である。
【図８（ａ）】カーナビゲーションの情報を提供するデュアルビューディスプレイを示す図である。
【図８（ｂ）】カーナビゲーションの情報を提供するデュアルビューディスプレイを示す図である。
【図８（ｃ）】カーナビゲーションの情報を提供するデュアルビューディスプレイを示す図である。
【図９】教育目的に用いるデュアルビューディスプレイを示す図である。
【図１０】モバイル機器に用いるマルチビューディスプレイを示す図である。
【図１１】カラオケに用いるマルチビューディスプレイを示す図である。
【図１２】飛行機における機内娯楽用のマルチビューディスプレイを示す図である。
【図１３】大人用プログラムと子供用プログラムを同時に表示するデュアルビューディスプレイを示す図である。
【図１４（ａ）】クリケットスタジアムで用いるマルチビューディスプレイを示す図である。
【図１４（ｂ）】フットボールスタジアムで用いるマルチビューディスプレイを示す図である。
【図１５（ａ）】携帯用のＤＶＤプレーヤを構成するデュアルビューディスプレイを示す図である。
【図１５（ｂ）】図１５（ａ）に示すディスプレイの他の配列例を示している。
【図１６】プライバシー保護又はセキュリティー目的に用いるデュアルビューディスプレイを示す図である。
【図１７】仮想キーボードを表示するデュアルビューディスプレイを示す図である。
【図１８（ａ）】車に用いる、リモートコントロール割り込み機能を備えたデュアルビューディスプレイを示す図である。
【図１８（ｂ）】図１８（ａ）に示すディスプレイに用いる方向検知システムの第１例を示す図である。
【図１８（ｃ）】図１８（ａ）に示すディスプレイに用いる方向検知システムの第２例を示す図である。
【図１９】どのユーザがディスプレイと相互作用しようとしているかを特定できるデュアルビューディスプレイを示す図である。
【図２０】図１９に示すディスプレイの例を示す図である。
【図２１（ａ）】図１９に示すディスプレイの他の例を示す図である。
【図２１（ｂ）】図２１（ａ）に示す例の詳細を示す図である。
【図２２】角度／高さによって区分して画像を表示するデュアルビューディスプレイを示すダイヤグラムである。
【図２３】図２２に示すディスプレイの適用例を示す図である。
【図２４】角度／高さによって区分して画像を表示する他のデュアルビューディスプレイを示している。
【図２５】プレゼンテーションに用いるデュアルビュープロジェクションディスプレイを示す説明図である。
【図２６】ヂュアルビューディスプレイ上の接触（タッチ）方向を検知する検知システムの概略を示す説明図である。
【図２７】マルチビューディスプレイに用いる音声認識システムの概略を示す説明図である。
【図２８】マルチビューディスプレイに用いる凝視方向トラッキングシステムの概略を示す説明図である。
【図２９】マルチビューディスプレイに用いる画像生成部の概略を示す説明図である。
【発明を実施するための形態】
【００３０】
［１．翻訳］
（ａ）和英辞書
従来の電子辞書は、一度に１人のユーザが、例えば、日本語から英語への翻訳に用いる場合のみを想定している。
【００３１】
図１（ａ）および図１（ｂ）は、双方のユーザが同時に翻訳文を見ることができるインタラクティブ表示システムであって、各ユーザが、自身の言語のみを見ることができる表示システムを示している。本発明の実施の形態にかかる表示装置は、例えば、図１（ａ）および図１（ｂ）に示すように、日本人ユーザ３用のキーボード２と、英国人ユーザ５用のキーボード４とを備えたなデュアルビュー（ＤＶ）ディスプレイ１を有している。デュアルビューディスプレイ１は、観察方向６における英語テキストの「英語ビュー」を含む画像を英国人ユーザ５に表示する。ディスプレイ１は、また、観察方向７における日本語テキストの「日本語ビュー」を日本人ユーザ３に表示する。翻訳は、ユーザが、キーボード（２・４）、マウス、または音声認識手システム等の他の手段によってデータを入力する構成としてもよい。上記のシステムは、マルチビューを表示し、マルチ言語を用いるマルチユーザシステムに発展させることも可能である。
【００３２】
また、上記の翻訳システムは、対面式でないものにも応用することができ、例えば、インターネットを用いたものやマルチ言語のユーザが１つの部屋に集まって会議するテレビ会議用にも適応することができる。
【００３３】
図２（ａ）および図２（ｂ）に示すように、デュアルビューディスプレイ１で各人が各々の言語で同時に翻訳を見ることができる構成してもよく、また、適当なヘッドホン手段（８・９）を用いて同時に訳を聞くことができる構成してもよい。上記の翻訳システムの利点は、パワーポイントで作成したプレゼンテーション用ドキュメントの翻訳を各ユーザに表示し、さらに、ユーザ間でなされた会話をマイクロホーン１０・１１を用いて翻訳システムに入力する場合に特に享受することができる。
［２．情報表示］
（ａ）高速道路情報のためのマルチビュー
マルチビューディスプレイ２０は、高速道路情報標識に用いることができ、この場合、各レーンのトラフィックに対し異なるビューを提示することができる。マルチビューディスプレイ２０は、図３に示すように、高速道路の中央の真上に取り付けてもよく、また、左右何れかにずれた位置に設けてもよい。具体的には、マルチビューディスプレイ２０によって、高速道路の左レーン情報２１、中央レーン情報２２および右レーン情報２３が、それぞれ矢印２４、２５および２６で示す方向から見ることができる。
（ｂ）空港および列車到着／出発などの情報ボードのためのデュアルビュー
デュアルビューディスプレイ１は、空港および列車到着・出発などの情報ボードに用いてもよい。この場合、乗客がデュアルビューディスプレイ１の下を移動中に、異なるビューを表示することができる。デュアルビューディスプレイ１は、例えば、図４に示すように、それぞれ異なるトラックにある各列車の乗客用にぞれぞれ設けられた領域２７および領域２８を有するアイランド鉄道プラットフォームの中心の上方に設けてもよい。上記構成のデュアルビューディスプレイ１によると、乗客が一方のプラットフォームから他方のプラットフォームに移動すると、乗客はそれぞれ矢印２９および矢印３０で示す方向から関係するプラットフォーム情報のみを見ることができる。上記構成のデュアルビューディスプレイ１は、中央から左右一方の側にずれた位置に設けてもよい。
（ｃ）広告用デュアルビュー
デュアルビューディスプレイ１は広告の目的で使用することもできる。１つのディスプレイから異なった方向に異なった広告を表示する構成としてもよい。本発明の表示方式を用いた場合、１つのディスプレイを用いてより多くの広告を表示することができるため、広告費用を削減することができる。デュアルビューディスプレイ１は、図５に示すように、左側通路３１への広告を矢印２９（図中左側）で示す方向に表示し、右側通路３２への広告を矢印３０（図中右側）で示す方向に表示する。上記構成のデュアルビューディスプレイ１を用いることにより、例えば、製品に限定した固有の広告またはスペシャルオファーを表示することができる。また、デュアルビューディスプレイ１を、観察者が進む方向に平行に取り付け、当該デュアルディスプレイ１を通過する間に、１つのデュアルビューディスプレイからトラフィックに沿って一連の異なる広告を表示する構成としてもよい。
（ｄ）プレゼンテーション用デュアルビュー
デュアルビューディスプレイ１は、パワーポイントを用いたプレゼンテーションの情報の表示に用いてもよい。具体的には、図６に示すように、表示する第１のビューとして、聴衆者３３に対し、矢印３４および３５で示す方向にプレゼンテーションを表示する一方、表示する第２のビューとして、講師３６に対し、矢印３７で示す方向にプレゼンテーションのノートを表示する構成としてもよい。
（ｅ）非常時用のサービステキストを表示するためのスリービューディスプレイ
マルチビューディスプレイ２０は、他の道路使用者に迅速に認識させるという点で緊急のサービスを支援するのに用いてもよい。図７中、矢印２１及び矢印２３に示す方向の軸からずれた位置にいて、掲示を直接見るであろう歩行者３８に対し、正しいテキスト、例えば、「POLICE」の語を表示する構成としてもよい。一方、図中、矢印２２で示す方向ように、軸方向に位置するドライバー３９に対しては、バックミラーを用いて容易に見ることができるように反転させたテキストを表示する構成としてもよい。上記の適応例については、図７に示している。
（ｆ）カーナビゲーションへの応用
図８に示すように、ドライバー用のビュー４０は、ドライバー４１の方向に、簡単な基本情報のみを表示するように構成されている。一方、乗客用のビュー４２は、乗客４３の方向に、ドライバー用のビュー４０に比べはるかに詳細な情報を表示するように構成されている。
（ｇ）教育
デュアルビューディスプレイ１は教育目的に用いることもできる。具体的には、図９に示すように、表示する第１のビューとして、学生または聴衆者３３に対し、矢印３４および矢印３５で示す方向に質問を表示する一方、表示する第２のビューとして、教師３６に対し、矢印３７で示す方向に質問に対する答えを表示する構成としてもよい。
（ｈ）Ｘ線を用いたセキュリティへの応用
デュアルビューディスプレイは、例えば、Ｘ線スキャナを用いた、セキュリティに応用することもできる。例えば、表示する第１のビューとして、警備員に対し、Ｘ線またはセキュリティ画像を表示する一方、表示する第２のビューとして、セキュリティチェックを通り抜ける人に対し、第２画像を表示する構成としてもよい。本発明のデュアルビューディスプレイは、上記のセキュリティ関連画像に変えて、広告画像または空港情報の表示に用いてもよい。
（ｉ）医療
本発明のデュアルビューディスプレイは、医療の現場に用いることもできる。例えば、表示する第１のビューとして、手術を行う外科医に対し、手術状況の拡大映像を表示する一方、表示する第２のビューとして、医療チームの他のメンバに対し、血圧および／または心拍等の医療情報を表示する構成としてもよい。
（ｊ）入口・出口を示すサイン
デュアルビューディスプレイは、入口・出口を示すサインに用いてもよく、店またはレストランの入口・出口を示すのに好適に用いることができる。建物に入る際には、第１のビューとして、歓迎メッセージが表示され、当該建物を出る際には、第２のビューとして、心地よい退出メッセージの表示を見ることができる。また、入口専用ドアから出ようとした場合に、警告メッセージを表示する構成としてもよい。
（ｋ）コックピット用ディスプレイ
具体的には、デュアルビューディスプレイはコックピットに用いてもよい。１つのカメラのビューを特定のパイロットに対して表示し、他のカメラのビューとして、代替情報を他のパイロットに表示する構成としてもよい。また、小さい飛行機では、パイロットに対しあるビューを表示し、乗客に対し他のビューを表示する構成としてもよい。
（ｌ）オーバーレイ
デュアルビューディスプレイは、１つのビューとして原画像を表示し、他のビューとして、オーバーレイ画像を表示する場合に適用してもよい。デュアルビューディスプレイは、ＣＡＤ（コンピュータ支援設計）に用いた場合に特に有益である。ＣＡＤでは、オーバーレイ画像の登録が重要であり、異なったオーバーレイを含むビューからビューまで容易に移行できるため、マスク、回路配置等複雑なデザインを理解する工程を簡素化することができる。
（ｍ）マシンビジョン化／自動監視化／融像への応用
デュアルビューディスプレイは、独立した２つのディスプレイを取り替える、マシンビジョンや、自動観察化システムに用いてもよい。デュアルビューディスプレイは、画像の融合に用いてもよく、この場合、例えば、赤外線データを示すビューと、可視データとを示すビューとを、ユーザが手を使わずに機械の操作で切替えることができる構成としてもよい。切替えは、ユーザの頭を１のビューイングウィンドウから他のビューイングウィンドウに移行させと、機械が実行するように構成することができる。
（ｎ）モバイル機器へのマルチビューの応用
モバイル・ディスプレイデバイスでは、デュアルビューディスプレイまたはマルチビューディスプレイを用いることができる。この場合、メールなどの個人情報は軸上のビューで、非個人情報は軸外ビューで見れる構成とすることができる。これらのビューは、非対称に表示されるものであってもよい。加速度計を用いて、ユーザがディスプレイのディスプレイに対する傾斜を検知し、自動的にビューを更新又は切替える構成としてもよい。上記の構成は、携帯電話、携帯情報端末（ＰＤＡ）に好適に適応することができる。また、マルチビューディスプレイ２０は、全地球位置把握システム情報を表示するモービル・ディスプレイ４４に好適に用いることができる。ディスプレイは、図１０に示すように、矢印４５で示す右側、矢印４６で示す左側、矢印４７で示す上側、および矢印４８で示す下側へ傾け（チルト）、対応する東、西、北および南のＧＰＳ情報やビュー４９ないし５２を表示するように構成されている。
［３．エンターテインメント］
（ａ）デュアルビューカラオケ
デュアルビューディスプレイはカラオケに適応してもよい。具体的には、図１１に示すように、２人の歌い手５３、５４に対し、異なる歌詞をそれぞれ矢印６および７で示す方向に表示し、１つのディスプレイを使ってデュエット曲の歌詞を表示するのに用いることができる。これにより、必要なスクリーンの数を減少させることができるため、コストの削減を図ることができる。また、上記のディスプレイは、すべての歌い手５３・５４が同じ歌詞を見ることができるワイドモードに切り替え可能な構成としてもよい。
（ｂ）飛行機
マルチビューディスプレイ２０は、飛行機内でフライトエンターテインメントに用いてもよい。具体的には、単一のスクリーンを用いて、複数の乗客に座席に応じて異なるフライトエンターテインメントの選択肢を提供できる構成としてもよい。この構成により、必要なスクリーンの数を減少させることができるため、コストの削減を図ることができる。図１２に示す例では、マルチビューディスプレイ２０は、飛行機の座席の列の図中左の乗客５５、中央の乗客５６、右の乗客５７用の各ビューを、それぞれ図中矢印２１から２３で示す方向に表示するように構成されている。
（ｃ）子供向けの楽しい映画・テレビ
図１３に示すように、デュアルビューディスプレイ１は、第１の画像を子供５９に対して矢印７で示す方向に表示し、第２の画像を大人５８に対して矢印６で示す方向に表示する構成としてもよい。この構成のデュアルビューディスプレイ１は、子供向けの映画やテレビ番組を表示する一方で、大人向けの映画やテレビ番組も別途表示する場合に用いることができる。
（ｄ）デュアルビューテレビ
デュアルビューディスプレイは、１つの画面で複数の観察者が同時に複数のテレビチャネルや映画を見ることができるように構成されている。この場合、指向性を有するサウンドやヘッドホーンを用いてもよい。また、１人または複数の観察者がテキストサービスやｅメールを見たり、ゲームをしたい場合もある。
（ｅ）デュアル３Ｄ
デュアルビューディスプレイは、各ビューについて、視差バリアによって生成した光音響画像等のように異なった三次元画像を表示する構成としてもよい。上記の構成のデュアルビューディスプレイを用いて、例えば、３Ｄチェスを楽しむことができる。
（ｆ）スポーツ試合
マルチビューディスプレイ２０は、スポーツ試合に用いてもよい。具体的には、例えば、図１４（ａ）に示すように、クリケット用サイトスクリーンとして用いることができる。この場合、打者６０に対しは、矢印５９で示す方向には画像も背景も表示しない一方、矢印５９で示す方向からずれた方向６１、６２に対しては、再生画面、スコア等を観客に対して表示する構成としてもよい。また、図１４（ｂ）に示すように、マルチデュアルビューディスプレイ２０は、フットボールの試合に用いてもよい。この場合、例えば、矢印６３で示す方向に、地元チームの観客用の再生画面を表示する一方、矢印６４で示す方向には、アウェイチームの観客用に異なる再生画面を表示する構成としてもよい。また、試合のスコアを、マルチビューディスプレイ２０における矢印６５で示すゴールネット６６の真上の位置に表示してもよい。上記ディスプレイとして、ＬＥＤを用いてもよい。
（ｇ）携帯用ＤＶＤプレーヤ
デュアルビューディスプレイ１は携帯用のＤＶＤプレーヤに用いてもよい。図１５（ｂ）に示すように、デュアルビューディスプレイ１の前面に、タッチスクリーンを形成し、ＤＶＤ画像に加え制御ボタン７０を表示する構成としてもよい。これにより、ユーザは図１５（ａ）に示す他の画面を見ることなくＤＶＤプレーヤの制御ボタンを操作することができるため、フル解像度でＤＶＤ画面を楽しむことができる。デュアルビューディスプレイ１は、傾斜角度６８と傾斜角度６９との間で順次２つのビューを切り替える構成としてもよい。
（ｈ）コンピュータゲーム
デュアルビューディスプレイまたはマルチビューディスプレイは複数のプレーヤーが参加するコンピューターゲームで、ゲームを行っている他のプレーヤのビューが見えない場合に有益に用いることができる。
（ｉ）動画
デュアルビューディスプレイは、観察者に１の画像から動作が時間的に僅かに進んだ次の画像を順次表示していく動画表示に用いてもよい。高速に１つのビューイングウィンドウから次のビューイングウインドウに移行する観察者は、例えば、１つのビューから次のビューに小さい角度で後方または前方にディスプレイを回転させることによって画像の動きを知覚する。また、動きを自動的に検知し、動きクリップの次フレームで他のビューを更新する動き検知器を設けてもよい。
［４．プライバシー対策への応用］
デュアルビューディスプレイは、既存のプライバシー機器を用いている銀行等のプライバシー機器に用いることができる。具体的には、例えば、第１のビューとして、顧客７１にアカウント詳細の概要を表示する一方、銀行員７２に対しては、セキュリティ情報を入力するための画面を表示する構成としてもよい。すなわち、図１６に示すように、異なるビューをそれぞれ銀行員および顧客に対して矢印６および矢印７で示す方向に表示することができる。
［５．デュアルビュー仮想キーボード］
デュアルビューディスプレイ１は、仮想キーボードの外観を創出するために鏡７３を併用してもよい。図１７に示すように、ディスプレイ１は、キーボード機能や割り込み機能のためのディスプレイを用いるタブレットパーソナルコンピュータ（ＰＣ）、その他の電子機器の一部であってもよい。
【００３４】
ディスプレイ１は、ディスプレイ表面の法線を含む角度範囲からディスプレイ１を見る、装置のユーザに対して第１のビューを表示する。装置は鏡７３を備え、ディスプレイ１が鏡７３に向けて、仮想キーボード７４を形成する画像を含む第２のビューを投影し、ユーザが見えるように反射させる構成としてもよい。
【００３５】
装置への入力のための「物理的な」キーボードと同様の操作でユーザが入力できる仮想キーボード７４を用いてキーボード入力に割込みを許可するために、検知システム７５を設けてもよい。検知システム７５は、光学的検知システムを含み、ユーザが仮想キーボード７４のどのキーを押すつもりであるかを特定する構成としてもよい。さらに、装置に報知され、物理的なキーボードのキーを実際に操作する場合と同様に反応する構成とすることができる。
［６．デュアルビューディスプレイを用いた割り込み］
（ａ）デュアルビューリモートコントロール:
デュアルビューディスプレイ１は、図１８（ａ）に示すように、車７６の後部座席の乗客７７・７８用に天井に取り付けてもよい。また、図１８（ｂ）および図１８（ｃ）に示すように、１つのリモートディスプレイ制御装置７９で各ビューの機能を制御する構成としてもよい。例えば、１人の乗客７６が、ＤＶＤを鑑賞し、フィルムをポーズしたく、一方、他の乗客は、コンピューターゲームで遊ぶためにゲームを再開したがっている場合等に適応できる。
【００３６】
図１８（ｂ）と図１８（ｃ）は、方向検知システムを備えた装置を示している。図１８（ｂ）の最初の例では、２つの光センサ８０・８１（または２つのセンサからなるアレイ）を視差バリア８３又は他のディスプレイ１の光学部材の背後に配置している。光学部品である視差バリア８３は、左の乗客７８のリモートディスプレイ制御装置７９からの信号が、右の乗客の光検知器８０に到達するのを防止し、また逆に、右の乗客７７のリモートディスプレイ制御装置８０からの信号が、左の乗客７８の光検知器８１に到達するのを防止する機能を担っている。
【００３７】
図１８（ｃ）に示す２番目の構成例では、ディスプレイ１のＬＣＤ表示パネルの画素に、フォトダイオード８４・８５をそれぞれ設けている。この第２の例でも、光学部品である視差バリア８３は、左の乗客７８のリモートディスプレイ制御装置７９からの信号が、右の乗客のフォトダイオード８４に到達するのを防止し、また逆に、右の乗客７７のリモートディスプレイ制御装置８０からの信号が、左の乗客７８のフォトダイオード８５に到達するのを防止する機能を担っている。
【００３８】
また、上記構成のディスプレイは、家庭用やその他の状況でも用いることができる。例えば、リビングルームで、複数の異なるチャンネルでそれぞれ独立したビューを観る場合等デュアルまたはマルチビューディスプレイが複数の独立したビューを表示する場合に好適である。また、ディスプレイ１は、各ビューに対し１つのリモートコントロールが割り当てられ、複数のリモートコントロールが利用可能である場合に用いてもよく、この場合、各ビューの周波数やコード信号を若干異ならせることで、ディスプレイが更新すべきビューを認識することができる。例えば、アーケードでコンピュータゲームを行う場合で、どのプレーヤがゲーム中どのショットを打ったかを認識することが重要である場合等に、上記構成のディスプレイの特徴における利点を特に享受することができる。
（ｂ）ディアルビュー独立制御
図１９に示すように、デュアルビューディスプレイ１を用いて、各ビューで異なる機能を表示する場合、どのユーザが当該ユーザのどのビューを更新しようとしているかを検知し、適切な選択肢を提示する必要がある。上記の構成は、例えば、デュアルビューディスプレイ１の表示パネルの左端、右端にそれぞれフォトダイオード８６・８７を設けることで実現することができる。観察者の動き（例えば、矢印８９で示すディスプレイの右側にいる観察者の右手の動き）は、左の観察者のために、右側の受光器８７で受信され、右側の観察者にメニューが表示されるか、ビューが更新される。同様に、矢印８８で示すディスプレイの左側にいる観察者の右手の動き）は、右の観察者のために、左側の受光器８６で受信され、左側の観察者にメニューが表示されるか、ビューが更新される。
【００３９】
車両使用では、ドライバー側へのユーザインターフェースは非常に簡単な操作に制限される場合があった。また、日中使用する場合ディスプレイからの光の出力を抑える一方、夜間使用する場合はディスプレイからの光の出力を増加させる構成としてもよい。また、手が検知装置を遮蔽する時間の長さを検知することによって変化量を制御する構成としてもよい。また、音楽ボリュームなどの他の特徴も同様に制御することができる。適当な時定数と識別評価基準を用いて電子機器をセットアップすることができる。また、周囲の照明の変化に起因する共通の影響を回避するために、双方の検知装置からの各信号による比較を確立することができる。
（ｃ）タッチパネル（ディスプレイに装着されていてもよい）は、ユーザからのタッチ入力を検知する。光センサにより、複数のユーザのうちのどのユーザによる操作かを認識することができる。
【００４０】
タッチパネルには以下のものを用いることができる。
【００４１】
・画像光センサ（ＣＭＯＳセンサ・ＣＣＤセンサ）
・個別のフォトダイオード、光レジスタその他の光検知素子
・光検知素子群
本明細書中、「光」は、可視光線、紫外線(紫外線)または赤外線(赤外線の)放射の意である。
【００４２】
構成１：個々の光センサ
1. 図２０に示すように、タッチパネル１に、２つの非イメージセンサ９０・９１を設け、車の中央のタッチスクリーンを備えたコンソールディスプレイのように、一方を左側のユーザが用い、他方を右側のユーザが用いる。
【００４３】
第１のセンサおよび第２のセンサの限定されない例としては、以下のセンサを用いることができる。
【００４４】
・セキュリティシステムで使用される受動赤外線センサ
・フォトダイオード
・光依存レジスタ
・赤外線距離センサ（ＧＰ２シリーズ汎用距離測定センサ（シャープ株式会社）等）
信号処理ユニット９２は、タッチパネルが通常備える機能を実行し、さらに、センサ９０・９１からの信号処理をし、タッチパネルを操作しているユーザを特定する。
【００４５】
信号処理ユニット９２は、例えば、単に２つのフォトダイオード９０・９１でそれぞれ検知された光強度を比較し、光強度が低い方の側からのタッチ入力と推定する構成としてもよい。
【００４６】
また、信号処理ユニット９２は、時間依存方法を用いてもよい。具体的には、タッチ入力が行われている期間における光強度の上昇が最も大きいフォトダイオードをタッチ入力が行われた側と推定する構成としてもよい。
距離センサ９０・９１からの検知距離出力を比較し、検知距離が最も短い側をタッチ入力が行われた側と推定する構成としてもよい。
【００４７】
構成２：グループ光センサ
図２１（ａ）および図２１（ｂ）に示す２番目の構成例では、光センサ９５・９６からなるグループ９３は、遮光部材９４と並設され、一方のダイオード８５がパネル１の左側の光レベルの変化を検知する一方、他方のフォトダイオード９６が右側の光レベルの変化を検知する構成としてもよい。また、タッチ入力のソースを、構成１で説明した方法と同様の方法で特定してもよい。
【００４８】
構成３：イメージセンサ
構成３として、イメージセンサとレンズからなるカメラを用い、タッチ入力がなされた方向を検知する構成としてもよい。カメラで撮影された画像は、マイクロプロセッサで処理され、タッチ入力のソースの推定に用いることができる。
【００４９】
構成４：面内画像センサ
光センサをディスプレイパネルそのものにサブピクセルレベルで組み入れることができる。これらのセンサを用いて、パネルの向こう側の光を測定することができる。具体的には、誰かがパネルに触れると、その者の指の影がディスプレイの向こう側に形成される。形成された影の形から、指がどの方法から動いてきたのかを特定でき、ひいてはタッチパネルを操作しているユーザを特定することができる。
【００５０】
上記の構成には、非特許文献２または非特許文献３で示すように、種々のセンサシステムが開示されている。非特許文献２および非特許文献３は、何れも各画素に組み入れられ、光検知器として機能する低温ポリシリコンｐｉｎダイオードを備えた液晶デバイスを開示している。上記の構成を、適切な画像処理技術と組み合わせることによって、指の画像を検知することができる。
【００５１】
図２６は、指の画像検知を実現するシステムの構成例を示している。表示パネルに組み込まれ、各画素でセンサとして機能する光センサアレイ１２０は、センサ制御部１２１からの制御データを受信し、当該センサ制御部１２１へセンサ情報を送信する。センサ制御部１２１は、光センサアレイ１２０の各センサからのセンサ情報を統合し、画像処理部１２２に送信する。画像処理部１２２は、画像処理を施し、表示パネルの向こう側に形成される指の影を検知する。
【００５２】
ディスプレイに触れている１本または複数本の指、または手の影の長さ、深さ等の形状および又は形成時間（接触期間）に基づいて、どの方向から当該指等が接触しているかを認識することができる。例えば、非特許文献４は、ディスプレイパネル上の異なるタイプの接触（タッチ）に対しどのように画像処理を施すか、当該異なるタイプの接触をどのように区別するかを開示している。非特許文献４に開示されている技術または他の適切な技術を用いて、画像処理部１２２が、どのビューが接触方向に対応しているか、及びディスプレイ上の接触位置を特定する。次に、特定されたビューおよび接触位置に関する情報が、表示システム制御部１２３に転送される。さらに、表示システム制御部１２３は、関連するビューの検知位置にて表示パネルの接触に適切な更新を実行する。
【００５３】
そのような表示システムが車などの乗物にインストールされる場合、表示パネルは、例えば、ＤＶＤを見ている乗客に左側のビューを表示する一方、ナビゲーション情報を見ているドライバーに右側のビューを表示する構成としてもよい。乗客が表示パネルの左下コーナに触れると、センサアレイ１２０が当該接触を検知し、センサ制御部１２１が結合したセンサデータを画像処理部１２２に送信する。さらに、画像処理部１２２は、当該接触が、表示パネルの左側で、左下のコーナでなされたと判断する。次に、表示制御部１２３は、例えば、ＤＶＤ操作に関連するメニューをディスプレイパネルに表示する等、当該接触に対し適切な処理を実行する。一方、接触がディスプレイパネルの右側でなされた場合、表示制御部１２３は、ナビゲーション情報に関連する適切な処理を実行する。例えば、ドライバーが表示されたナビゲーションマップ上のズームを制御できるようにする。当該接触をうけて実行される処理は、必ずしも直接ディスプレイ画面の更新に関連する必要はない。例えば、音に付随した処理を実行する構成としてもよい。
（ｄ）観察者の自動トラッキング
トラッキングシステムは、いつ又はどのビューイングウィンドウが使用されているかを自動検知するのに用いることができ、ビューウインドウが適宜更新される。
（ｅ）デュアルビューのための音声制御
音声制御は、デュアルビューディスプレイの機能を制御するために用いてもよい。どのユーザが、ディスプレイを音声制御しているかを自動検知することによって、正しいビューを更新することができる。この構成は、車に用いた場合に特に有益である。
【００５４】
例えば、特許文献６は、音声が以前に認識されたか音声か否かを認識できる構成を開示している。話し手を認識する種々のシステムが、非特許文献７および非特許文献８に開示されている。
【００５５】
図２７は、センサ制御部１２１に接続されたマイクロホン１２４を備えた音声認識システムを示している。センサ制御部１２１はマイクロホン１２４からオーディオ処理装置１２５までオーディオストリームデータを送る。これにより、例えば、何れの観察者が、例えば、ディスプレイを更新するコマンドを発信したかを特定する。詳細には、オーディオ信号処理ユニット１２５によって、どのビューを更新するのか、さらに、どのコマンドが与えられたかを特定する。そして、このビューとコマンドデータは、表示システム制御部１２３に送られる。表示システム制御部１２３は、当該コマンドに対応した適切な更新を行い、適切なビューが表示パネルに表示されるように制御する。
【００５６】
上記表示システムを前述のように車にインストールする場合、例えば、乗客が「ポーズＤＶＤ」と言うと、以下のように制御する構成とすることができる。オーディオ信号処理部１２５は、乗客の音声で、ＤＶＤ再生を一時停止するコマンドが指示されたと認識する。表示システム制御部１２３は、乗客に向けて表示された画像のＤＶＤ再生を一時停止する。ドライバーが、「ズームマップ」と言うと、このコマンドに反応して、表示システム制御部１２３は、ドライバーが見えるようにビューに表示されたナビゲーションマップをズームする。
（ｆ）カーシステム
マルチビューディスプレイは、車に用いることができる。この場合、例えば、ナビゲーション情報等第１のビューを第１のヘッド位置からドライバーに表示する一方、ヘッド位置を少しずらして、例えば、ラジオコントロールを含む第２のビューを表示する構成とすることができる。さらに、他のビューまたは乗客用のビューを表示する構成としてもよい。また、ドライバーのビューとしてフルパネル解像度を用いることができる。
［７．角度／高さによる画像区分］
デュアルビューディスプレイ１は、画像を垂直方向に区分する構成としてもよい。図２２は、ビューイングウィンドウ９７とビューイングウインドウ９８との２つのビューイングウィンドウを示している。このうち、ビューイングウインドウ９７は、人９９がディスプレイ１の近傍にいる場合にのみ見ることができる構成とする一方、他のビューイングウィンドウ９８は、ディスプレイからさらに離れた位置から見ることができる構成としてもよい。ビューイングウィンドウは、左右対称であってもよいが、選択的に非対象に形成されていることが好ましい。
【００５７】
ディスプレイにおいて非対称のビューイングウィンドウを形成する技術が特許文献７に開示されている。デュアルビューディスプレイ１は、図２３に示すように、第１の画像を子供用にウインドウ９７に表示し、第２の画像を大人用にウインドウ９８に表示する構成としてもよい。又、第１の画像を観察者が立っている状態で見ることができるように表示する一方、第２の画像を観察者が座っている状態で見ることができるように表示する構成としてもよい。
【００５８】
また、デュアルビューディスプレイ１は、図２４に示すように、鏡１０２と併用して用いてもよい。具体的には、ディスプレイに近い図中破線１０３と破線１０４との間の視域９７で、観察者１０５または観察者１０６に対し、鏡１０２による反射画像によって拡大された画像をデュアルビューディスプレイ１に表示する一方、ディスプレイ１から遠い図中破線１０４と破線１０７との間の視域９８では、拡張された画像は、見えなくなるまで減縮される。この視域９８では、鏡１０２の角度及び大きさを調整し、非対象のビューイングウインドウ９７・９８を制御し、第２の画像が表示することができる。ここで、非対称のウインドウ９７・９８は、視差バリアシステムなどの視差光学部品で形成してもよい。
【００５９】
通常、視差バリアの開口部の中心は、各画像を構成する画素の略中心に合わせている。したがって、ディスプレイの法線から一方の側へ移動すると、一の画素の所定領域を見ることができ、ディスプレイの法線から反対側へ移動すると、他の画素の同じ面積を見ることができる。次に、周知の技術である視点修正を施し、左右対称のビューイングウィンドウを形成する。視差バリアの開口部が各画像を形成する画素の中心からずれた場合、ディスプレイの法線から一方の側へ移動すると、一の画素の所定領域を見ることができるが、ディスプレイの法線から反対側へ移動すると、他の画素の異なる面積を見ることとなる。
ここで、視点修正が施されると、左右対称のビューイングウィンドウに代えて、非対称のビューイングウィンドウ９７・９８が形成される。
【００６０】
上記の場合、非対称のビューイングウインドウを用いる利点は、異なるビューイングウィンドウ９７・９８の角度域が、図２２、図２３および図２４で示す異なる角度域の規定を充足するように構成できる点にある。
【００６１】
上述の高さ／位置に関する表示技術は、以下に示す場合に用いることができるが、それらに限定されるものではない。
（ａ）会議室用ディスプレイ
デュアルビューディスプレイは、会議室のドアに設けられるディスプレイとして用いることもできる。ディスプレイから離れた視域では、使用中、空、空き予定時間等の単純な情報を表示する一方、ユーザがドアに近づきディスプレイの近視域に入ると、当該会議室のタイムテーブル等のより詳細な情報が見ることができるように表示してもよい。
（ｂ）家庭用電気機器
デュアルビューディスプレイは、プリンタ、写真複写機、洗濯機、食器洗い機などの家庭用電気機器において、情報を表示するディスプレイに用いてもよい。この場合、例えば、ディスプレイから離れた視域には、使用中、故障中、プログラムの終了時間等簡単な情報を見ることができるように表示する一方、ユーザがディスプレイに近づき、ディスプレイに近い視域に入ると、家庭用電気機器の使用設定等におけるオプション等より詳細な情報をユーザが見ることができるように表示する構成とすることができる。
（ｃ）公衆表示ディスプレイ
デュアルビューディスプレイは、電車の駅に設けられた公衆表示ディスプレイとして用いてもよい。具体的には、ディスプレイから離れた視域では、終着駅や次の電車の時間等の単純な情報を表示する一方、ユーザがディスプレイに近づき、ディスプレイに近い視域に入ると、時刻表、停車駅等のより詳細な情報を表示する構成とすることができる。
（ｄ）身長制限領域のエントリチェック:
デュアルビューディスプレイは、図２３に示すように、身長制限領域（例えば、屋外競馬場）のためのエントリチェックに用いることができる。図２３に示す上記ディスプレイは、例えば、上側のビューにコードを含む画像を表示し、下側のビューに他の画像を表示する構成とすることができる。上記の構成によれば、上側のビューを見るに十分な身長の人は、コードを見ることができるため、当該ビューのコードを例えば、キーボードを用いて所定の装置に入力することができる。これにより、身長制限区域へのアクセスが許可される。一方、上側のビューを見るに十分な身長がない人は、上記身長制限区域にアクセスすることはできない。上記の構成において、上記コードを一の人用から次の人用へと順次変更し、上記システムを悪用できない構成としてもよい。また、下側のビューに誤ったコードを表示し、当該誤ったコードを入力すると出口へのみアクセスできる構成としてもよい。
（ｅ）子供向けの映画／ＴＶ
図２３に示すように、デュアルビューディスプレイは、第１の画像を子供１００に表示し、第２の画像を大人１０１に表示する場合に用いることができる。この構成は、子供向けの映画、ＴＶプログラムを表示し、これと別に大人向けの映画、ＴＶプログラムを表示する場合に用いることができる。
（ｆ）身長を考慮した子供用／大人用広告
図２３に示すように、デュアルビューディスプレイは、子供１００に対し第１の画像を表示し、大人１０１に対し第２の画像を表示する構成とすることができる。この構成は、例えば、子供用の広告を子供に表示し、これとは別に大人用の広告を大人に表示する場合に用いることができる。
［８．デュアルビュープロジェクション］
デュアルビュープロジェクションシステムは、図２５に示すように、プレゼンテーションの間、講演者のみがプロジェクションスクリーン１１０の注意事項を見ることができ、講演者以外の聴衆者がプレゼンテーションを見ることができる構成としてもよい。また、指向性光検知器を有するプロジェクションスクリーン１１０を備えたデュアルプロジェクションシステムを用いてもよい。聴衆者に第１のビューを表示するプロジェクタ１１１は、比較的広い第１の視域１１２を形成するように第１の角度でプロジェクションスクリーン１１０からスクリーンを照らす一方、講演者に第２のビューを表示するプロジェクタ１１３は、第２の比較的狭い視域１１４を形成する第２の角度でプロジェクションスクリーン１１０からスクリーンを照らすように構成することができる。
［９．ヘッドアップディスプレイ］
デュアルビューパネルを車に使用する場合、追加の光学部材を用いて運転手側のビューをフロントガラスで反映させる、ヘッドアップディスプレイとして用いてもよい。
［１０．トラッキング］
デュアルビューディスプレイの各ユーザの目をトラッキングし、各ユーザが現在見ている地点を認識できる構成としてもよい。これにより、当該地点における画像を周囲に比べてエンハンス（強調）することができる。
【００６２】
非特許文献５は、観察者の凝視方向を検知し、追跡する技術を開示している。また、非特許文献６は、視域の向こう側の視力の変化にマッチするようにディスプレイを構成する画素を放射状にリマップする技術を開示している。上記の技術は、例えば、図２８に示すように用いてもよい。このシステムでは、例えば、上記の技術または他の好ましい技術を用いて、１２９に示すように、観察者の凝視方向を継続的にモニターするように構成されている。
【００６３】
検出部１２６で新たな凝視方向が検知されると、上記の技術または他の好ましい技術を用いて当該検知された凝視方向に基づいて、最適画像強調再計算部１２７で最適な画像強調処理を再び求める。上記ディスプレイは、表示更新部１２８で更新され、上記システムは、再び新しい凝視方向が検知されるまで、凝視方向をモニターするように構成されている。
【００６４】
図２９は、前に説明した何れの構成においても適応することができる画像生成工程を示している。画像生成部１３１は、２つまたは３つ以上の画像のデータ入力を結合し、ディスプレイ装置１３２で正しく表示できるようにする機能を有している。２つまたは３つ以上の画像ソース１３０が同じであるか異なったフォーマットの画像データを供給してもよい。画像ソースの例としては、ＤＶＤプレーヤ、ＣＤプレーヤ、ミニディスクプレーヤ、ＵＳＢキーディスク、ハードディスク、カメラシステム、デジタルフィルム、コンピュータシステムからのライブ送り等を挙げることができるが、これに限定されるものではない。
【００６５】
画像生成部１３１は、例えば、特許文献８に開示された技術を用いるものであってもよい。画像生成部１３１は、各画像ソース（画像ソース１、２、３）１３０から画像情報を受信し、必要に応じて、受信画像データをリスケールし、表示解像度、グレースケールレベルその他の表示能力に適したフォーマットに変換する。上記の処理は、入力画像に応じて適宜実行すればよい。
【００６６】
入力画像は、さらにディスプレイ装置１３２により表示に適した方式にインターレースされる。例えば、ディスプレイ装置１３２によって表示された画像を構成する画素の第１カラムを、第１の画像ソースのリスケールされた入力情報から、第２カラムを、第２の画像ソースのリスケールされた入力情報からといったように順次取り込んでいく構成としてもよい。この手順を順次繰り返し、複数のソース画像を空間多重化することにより、ディスプレイ装置１３２に画像を表示することができる。ディスプレイ装置１３２は、各画像からの光を、例えば、適切な視差光学技術またはバックライトを用いてそれぞれ異なった視域（ビュー１、２、３）１３３に導くように構成されている。
【産業上の利用可能性】
【００６７】
本発明の表示システムは、各ユーザが同一のディスプレイから異なる情報を得ることが好ましい何れの構成にも適応できる。例えば、本発明の表示システムは、教育目的、ビジネスミーティング、ビジネスミーティング、乗り物、娯楽目的で、２人または３人以上の観察者またはユーザが使用する場合に用いることができる。
【符号の説明】
【００６８】
１    デュアルビューディスプレイ
２    キーボード
４    キーボード
２０    マルチビューディスプレイ
４９    イーストＧＰＳビュー
５０    ウエストＧＰＳビュー
５１    ノースＧＰＳビュー
５２    サウスＧＰＳビュー
７３    ミラー
７４    仮想キーボード
７５    検知システム
７６    車
８０    右光センサ
８１    左光センサ
８３    視差バリア
８４    画素内の右フォトダイオード
８５    画素内の左フォトダイオード
８６    光検知器
８７    光検知器
９０    第１のセンサ
９１    第２のセンサ
９２    信号処理ユニット
９３    グループセンサ
９４    遮光部
１０２  ミラー
１１０  デュアルビュースクリーン（プロジェクションスクリーン）
１１１  プロジェクタ
１１３  プロジェクタ
１２０  センサアレイ
１２１  センサ制御部
１２２  画像処理部
１２３  表示システム制御部
１２６  新たな凝視方向の検知部
１２７  最適画像強調再算出部
１２８  表示更新部
１２４  マイクロホン
１３１  画像生成部
【図１（ａ）】
2011070680.tif 000003
【図１（ｂ）】
2011070680.tif 000004
【図２（ａ）】
2011070680.tif 000005
【図２（ｂ）】
2011070680.tif 000006
【図３】
2011070680.tif 000007
【図４】
2011070680.tif 000008
【図５】
2011070680.tif 000009
【図６】
2011070680.tif 000010
【図７】
2011070680.tif 000011
【図８（ａ）】
2011070680.tif 000012
【図８（ｂ）】
2011070680.tif 000013
【図８（ｃ）】
2011070680.tif 000014
【図９】
2011070680.tif 000015
【図１０】
2011070680.tif 000016
【図１１】
2011070680.tif 000017
【図１２】
2011070680.tif 000018
【図１３】
2011070680.tif 000019
【図１４（ａ）】
2011070680.tif 000020
【図１４（ｂ）】
2011070680.tif 000021
【図１５（ａ）】
2011070680.tif 000022
【図１５（ｂ）】
2011070680.tif 000023
【図１６】
2011070680.tif 000024
【図１７】
2011070680.tif 000025
【図１８（ａ）】
2011070680.tif 000026
【図１８（ｂ）】
2011070680.tif 000027
【図１８（ｃ）】
2011070680.tif 000028
【図１９】
2011070680.tif 000029
【図２０】
2011070680.tif 000030
【図２１（ａ）】
2011070680.tif 000031
【図２１（ｂ）】
2011070680.tif 000032
【図２２】
2011070680.tif 000033
【図２３】
2011070680.tif 000034
【図２４】
2011070680.tif 000035
【図２５】
2011070680.tif 000036
【図２６】
2011070680.tif 000037
【図２７】
2011070680.tif 000038
【図２８】
2011070680.tif 000039
【図２９】
2011070680.tif 000040